(57)【要約】矩形、あるいは十字形に配置された信号点の一部を再配置した円状配置の信号点を用いることで平均信号電力、ピーク信号電力を削減して非線形歪特性を改善する。隣接する信号点間の指定された下位ビット部分に関するハミング距離の平均値が小さく、下位ビット部分が一致する信号点に関しては信号点間のユークリッド距離が最大となるビットマッピング方法を提供し、下位ビット部分にのみ誤り訂正符号を適用することで、帯域拡大率を抑えつつビット誤り率特性に優れたデータ伝送方法を提供する。
2011068119.tif 000002
【特許請求の範囲】
【請求項１】
矩形に配置された２２ｎ個の信号点の一部を円状に再配置し（ｎは正の整数）、円状配置された２２ｎ個の信号点を用いて、２ｎビットのデータを伝送する２２ｎＱＡＭの変調方式のデータ伝送方法であって、
矩形配置に一致する信号点に、下位２ｔビットと上位２（ｎ−ｔ）を各々独立にグレイ符号を適用した２ｎビットのパターンを対応させる第１手順と（ｔはｎより小さい正の整数）、
円状に再配置された各信号点に、該矩形配置に一致する信号点に割当てられたパターンを除いた２ｎビットのパターンの中で、隣接する信号点間における下位２ｔビットの平均ハミング距離が最小、かつ下位２ｔビットが一致する信号点間のユークリッド距離が最大となるように２ｎビットのパターンを対応させる第２手順とを備え、
伝送する２ｎビットに対して、前記第２手順によって定まる信号点を送信するデータ伝送方法。
【請求項２】
矩形に配置された２２ｎ個の信号点の一部を円状に再配置し（ｎは正の整数）、円状配置された２２ｎ個の信号点を用いて、２ｎビットのデータを伝送する２２ｎＱＡＭの変調方式のデータ伝送方法であって、
２２ｎ個の信号点を含む信号領域を複数個の領域に分割し、分割された各領域の内、該矩形配置に含まれる領域に対して、隣接する領域間のハミング距離が１だけ異なるグレイ符号を適用して２ビットを割当て、矩形配置に含まれない該分割された各領域に対して、隣接する領域間の平均ハミング距離が最小となるように２ビットを割り当てる領域マッピングテーブルをｎ種類設け、
前記２ｎビットのデータに対する信号点を、２ｎビットのデータをｎ個の２ビットデータに分割し、各々を分割された領域の形が互いに異なるｎ種類の前記領域マッピングテーブルを参照して得られるｎ個の信号領域の共通部分に配置された信号点とするデータ伝送方法。
【請求項３】
ｎは４以上の正の整数であり、
前記２２ｎ個の信号点と前記２ｎビットのデータ中の８ビットを、四つの領域マッピングテーブルである、表２、表３、表４、及び表５によって定めることを特徴とする請求項２記載のデータ伝送方法。
【表２】
2011068119.tif 000004
【表３】
2011068119.tif 000005
【表４】
2011068119.tif 000006
【表５】
2011068119.tif 000007
【請求項４】
ｎは４以上の正の整数であり、
前記２２ｎ個の信号点と前記２ｎビットのデータ中の８ビットを、四つの領域マッピングテーブルである、表６、表７、表８、及び表９によって定めることを特徴とする請求項２記載のデータ伝送方法。
【表６】
2011068119.tif 000008
【表７】
2011068119.tif 000009
【表８】
2011068119.tif 000010
【表９】
2011068119.tif 000011
【請求項５】
ｎは４以上の正の整数であり、
前記２２ｎ個の信号点と前記２ｎビットのデータ中の８ビットを、四つの領域マッピングテーブルである、表１０、表１１、表１２、及び表１３によって定めることを特徴とする請求項２記載のデータ伝送方法。
【表１０】
2011068119.tif 000012
【表１１】
2011068119.tif 000013
【表１２】
2011068119.tif 000014
【表１３】
2011068119.tif 000015
【請求項６】
請求項３、４、５のいずれか1項に記載のデータ伝送方法において、各四つの領域マッピングテーブルの四つの２ビットパターン００、０１、１０、１１を隣接する領域間でハミング距離が不変な変換によって変換して得られたテーブルを、領域マッピングテーブルとして使用することを特徴とするデータ伝送方法。
【請求項７】
ｎは５以上の正の整数であり、
前記２２ｎ個の信号点と前記２ｎビットのデータ中の１０ビットを、五つの領域マッピングテーブルである、表１４、表１５、表１６、表１７、表１８によって定めることを特徴とする請求項２記載のデータ伝送方法。
【表１４】
2011068119.tif 000016
【表１５】
2011068119.tif 000017
【表１６】
2011068119.tif 000018
【表１７】
2011068119.tif 000019
【表１８】
2011068119.tif 000020
【請求項８】
ｎは５以上の正の整数であり、
前記２２ｎ個の信号点と前記２ｎビットのデータ中の１０ビットを、五つの領域マッピングテーブルである、表１９、表２０、表２１、表２２、表２３によって定めることを特徴とする請求項２記載のデータ伝送方法。
【表１９】
2011068119.tif 000021
【表２０】
2011068119.tif 000022
【表２１】
2011068119.tif 000023
【表２２】
2011068119.tif 000024
【表２３】
2011068119.tif 000025
【請求項９】
ｎは５以上の正の整数であり、
前記２２ｎ個の信号点と前記２ｎビットのデータ中の１０ビットを、五つの領域マッピングテーブルである、表２４、表２５、表２６、表２７、表２８によって定めることを特徴とする請求項２記載のデータ伝送方法。
【表２４】
2011068119.tif 000026
【表２５】
2011068119.tif 000027
【表２６】
2011068119.tif 000028
【表２７】
2011068119.tif 000029
【表２８】
2011068119.tif 000030
【請求項１０】
請求項７、８、９のいずれか１項に記載のデータ伝送方法において、各五つの領域マッピングテーブルの四つの２ビットパターン００、０１、１０、１１を隣接する領域間でハミング距離が不変な変換によって変換して得られたテーブルを、領域マッピングテーブルとして使用することを特徴とするデータ伝送方法。
【請求項１１】
十字形に配置された２２ｎ＋１個の信号点を用いて２ｎ＋１ビットのデータを伝送する２２ｎ＋１ＱＡＭの変調方式のデータ伝送方法であって（ｎは正の整数）、
２２ｎ＋１個の信号点を含む信号領域を複数個の領域に分割し、分割された各領域において、隣接する領域間が互いに異なるように２ビットを割り当てる第１の領域マッピングテーブルと、２２ｎ＋１個の信号点を含む信号領域を複数個の領域に分割し、分割された各領域に隣接する領域間が互いに異なるように１ビットを割り当てる第２の領域マッピングテーブルを設け、
前記２ｎ＋１ビットのデータに対する信号点を、２ｎ＋１ビットのデータをｎ個の２ビットデータと１個の１ビットデータに分割し、２ビットデータの各々を分割された領域の形が互いに異なるｎ個の前記第１の領域マッピングテーブルを参照して得られるｎ個の信号領域の共通部分と、１ビットデータに対応して、前記第２の領域マッピングテーブルによって定まる領域との共通部分に配置された信号点とするデータ伝送方法。
【請求項１２】
ｎは２以上の正の整数であり、
前記２２ｎ＋１個の信号点と前記２ｎビットのデータ中の５ビットを、２つの前記第１の領域マッピングテーブルである表２９、表３０と、１つの前記第２の領域マッピングテーブルである表３１とによって定めることを特徴とする請求項１１記載のデータ伝送方法。
【表２９】
2011068119.tif 000031
【表３０】
2011068119.tif 000032
【表３１】
2011068119.tif 000033
【請求項１３】
請求項１２記載のデータ伝送方法において、２つの第１の領域マッピングテーブルの四つの２ビットパターン００、０１、１０、１１を隣接する領域間でハミング距離が不変な変換によって変換して得られたテーブルを領域マッピングテーブルとし、１つの第２の領域マッピングテーブルの二つの１ビットパターン０、１を置換して得られたテーブルを領域マッピングテーブルとして使用することを特徴とするデータ伝送方法。
【請求項１４】
十字形に配置された２２ｎ＋１個の信号点の一部を円状に再配置した２２ｎ＋１個の信号点を用いて、２ｎ＋１ビットのデータを伝送する２２ｎ＋１ＱＡＭの変調方式を用いたデータ伝送方法であって（ｎは正の整数）、
２２ｎ＋１個の信号点を含む信号領域を複数個の領域に分割し、分割された各領域において、隣接する領域間が互いに異なるように２ビットを割り当てる第１の領域マッピングテーブルと、２２ｎ＋１個の信号点を含む信号領域を複数個の領域に分割し、分割された各領域に隣接する領域間が互いに異なるように１ビットを割り当てる第２の領域マッピングテーブルとを設け、
前記２ｎ＋１ビットのデータに対する信号点を、２ｎ＋１ビットのデータをｎ個の２ビットデータと１個の１ビットデータに分割し、２ビットデータの各々を分割された領域の形が互いに異なるｎ個の第１の領域マッピングテーブルを参照して得られるｎ個の信号領域の共通部分と、該１ビットデータに対応して、前記第２の領域マッピングテーブルによって定まる領域との共通部分に配置された信号点とするデータ伝送方法。
【請求項１５】
ｎは４以上の正の整数であり、
前記２２ｎ＋１個の信号点と前記２ｎビットのデータ中の９ビットを、四つの第１の領域マッピングテーブルである表３２、表３３、表３４、表３５と、一つの第２の領域マッピングテーブルである表３６とによって定めることを特徴とする請求項１４記載のデータ伝送方法。
【表３２】
2011068119.tif 000034
【表３３】
2011068119.tif 000035
【表３４】
2011068119.tif 000036
【表３５】
2011068119.tif 000037
【表３６】
2011068119.tif 000038
【請求項１６】
ｎは４以上の正の整数であり、
前記２２ｎ＋１個の信号点と前記２ｎビットのデータ中の９ビットを、四つの第１の領域マッピングテーブルである表３７、表３８、表３９、表４０と、一つの第２の領域マッピングテーブルである表４１とによって定めることを特徴とする請求項１４記載のデータ伝送方法。
【表３７】
2011068119.tif 000039
【表３８】
2011068119.tif 000040
【表３９】
2011068119.tif 000041
【表４０】
2011068119.tif 000042
【表４１】
2011068119.tif 000043
【請求項１７】
請求項１５又は１６記載のデータ伝送方法において、四つの第１の領域マッピングテーブルの四つの２ビットパターン００、０１、１０、１１を隣接する領域間でハミング距離が不変な変換によって変換して得られたテーブルを領域マッピングテーブルとし、一つの第２の領域マッピングテーブルの二つの１ビットパターン０、１を置換して得られたテーブルを領域マッピングテーブルとして使用することを特徴とするデータ伝送方法。
【請求項１８】
円状に配置された２２ｎ個の信号点を用いて、２ｎビットのデータを伝送する２２ｎＱＡＭの変調方式を用い（ｎは正の整数）、
伝送する該２ｎビットのデータと該２２ｎ個の信号点の対応が請求項２記載の方法で定められたデータ伝送方法によって定められ、受信信号点から該受信信号点に最も近い送信信号点に対応する２ｎビットのデータを算出するデータ受信方法であって、
該受信信号点を含む領域に対応して請求項２記載のｎ個の領域マッピングテーブルと同一のｎ個の領域マッピングテーブルを参照してｎ個の２ビットデータを得るデータ受信方法。
【請求項１９】
ｎは４以上の正の整数であり、
該受信信号点に最も近い送信信号点に対応する２ｎビットのデータ中の８ビットを、四つの領域マッピングテーブルである、表４２、表４３、表４４、表４５によって定めることを特徴とする請求項１８記載のデータ受信方法。
【表４２】
2011068119.tif 000044
【表４３】
2011068119.tif 000045
【表４４】
2011068119.tif 000046
【表４５】
2011068119.tif 000047
【請求項２０】
ｎは４以上の正の整数であり、
該受信信号点に最も近い送信信号点に対応する２ｎビットのデータ中の８ビットを、四つの領域マッピングテーブルである、表４６、表４７、表４８、及び表４９によって定めることを特徴とする請求項１８記載のデータ受信方法。
【表４６】
2011068119.tif 000048
【表４７】
2011068119.tif 000049
【表４８】
2011068119.tif 000050
【表４９】
2011068119.tif 000051
【請求項２１】
ｎは４以上の正の整数であり、
該受信信号点に最も近い送信信号点に対応する２ｎビットのデータ中の８ビットを、四つの領域マッピングテーブルである、表５０、表５１、表５２、及び表５３によって定めることを特徴とする請求項１８記載のデータ受信方法。
【表５０】
2011068119.tif 000052
【表５１】
2011068119.tif 000053
【表５２】
2011068119.tif 000054
【表５３】
2011068119.tif 000055
【請求項２２】
請求項１９、２０，２１のいずれか1項に記載のデータ受信方法において、各四つの領域マッピングテーブルの四つの２ビットパターン００、０１、１０、１１を隣接する領域間でハミング距離が不変な変換によって変換して得られたテーブルを領域マッピングテーブルとして使用することを特徴とするデータ受信方法。
【請求項２３】
ｎは５以上の正の整数であり、
該受信信号点に最も近い送信信号点に対応する２ｎビットのデータ中の１０ビットを、五つの領域マッピングテーブル表５４、表５５、表５６、表５７、表５８によって定めることを特徴とする請求項１８記載のデータ受信方法。
【表５４】
2011068119.tif 000056
【表５５】
2011068119.tif 000057
【表５６】
2011068119.tif 000058
【表５７】
2011068119.tif 000059
【表５８】
2011068119.tif 000060
【請求項２４】
ｎは５以上の正の整数であり、
該受信信号点に最も近い送信信号点に対応する２ｎビットのデータ中の１０ビットを、五つの領域マッピングテーブル表５９、表６０、表６１、表６２、表６３によって定めることを特徴とする請求項１８記載のデータ受信方法。
【表５９】
2011068119.tif 000061
【表６０】
2011068119.tif 000062
【表６１】
2011068119.tif 000063
【表６２】
2011068119.tif 000064
【表６３】
2011068119.tif 000065
【請求項２５】
ｎは５以上の正の整数であり、
該受信信号点に最も近い送信信号点に対応する２ｎビットのデータ中の１０ビットを、五つの領域マッピングテーブル表６４、表６５、表６６、表６７、表６８によって定めることを特徴とする請求項１８記載のデータ受信方法。
【表６４】
2011068119.tif 000066
【表６５】
2011068119.tif 000067
【表６６】
2011068119.tif 000068
【表６７】
2011068119.tif 000069
【表６８】
2011068119.tif 000070
【請求項２６】
請求項２３，２４、２５のいずれか1項に記載のデータ受信方法において、各五つの領域マッピングテーブルの四つの２ビットパターン００、０１、１０、１１を隣接する領域間でハミング距離が不変な変換によって変換して得られたテーブルを、領域マッピングテーブルとして使用することを特徴とするデータ受信方法。
【請求項２７】
十字形に配置された２２ｎ＋１個の信号点を用いて、２ｎ＋１ビットのデータを伝送する２２ｎ＋１ＱＡＭの変調方式を用い（ｎは正の整数）、
伝送する該２ｎ＋１ビットのデータと該２２ｎ＋１個の信号点の対応が請求項１１記載の方法で定められたデータ伝送方式によって定められ、受信信号点から該受信信号点に最も近い送信信号点に対応する２ｎ＋１ビットのデータを算出するデータ受信方法であって、
該受信信号点を含む領域に対応して請求項１１記載のｎ個の２ビットの領域マッピングテーブルを参照してｎ個の２ビットデータを得るとともに、１ビットの領域マッピングテーブルを参照して１ビットを得るデータ受信方法。
【請求項２８】
ｎは２以上の正の整数であり、
該受信信号点に最も近い送信信号点に対応する２ｎ＋１ビットのデータ中の５ビットを、２つの２ビットの領域マッピングテーブルである表６９、表７０と、１つの１ビットの領域マッピングテーブルである表７１とによって定めることを特徴とする請求項２７記載のデータ受信方法。
【表６９】
2011068119.tif 000071
【表７０】
2011068119.tif 000072
【表７１】
2011068119.tif 000073
【請求項２９】
請求項２８記載のデータ受信方法において、２つの２ビットの領域マッピングテーブルの四つの２ビットパターン００、０１、１０、１１を隣接する領域間でハミング距離が不変な変換によって変換して得られたテーブルを領域マッピングテーブルとし、１つの１ビットの領域マッピングテーブルの二つの１ビットパターン０、１を置換して得られたテーブルを領域マッピングテーブルとして使用することを特徴とするデータ受信方法。
【請求項３０】
十字形に配置された２２ｎ＋１個の信号点の一部を円状に再配置した２２ｎ＋１個の信号点を用いて、２ｎ＋１ビットのデータを伝送する２２ｎ＋１ＱＡＭの変調方式を用い（ｎは正の整数）、
伝送する該２ｎ＋１ビットのデータと該２２ｎ＋１個の信号点の対応が請求項１４記載の方法で定められたデータ伝送方式によって定められ、受信信号点から該受信信号点に最も近い送信信号点に対応する２ｎ＋１ビットのデータを算出するデータ受信方法であって、
該受信信号点を含む領域に対応して請求項１４記載のｎ個の２ビットの領域マッピングテーブルを参照してｎ個の２ビットデータを得るとともに、１ビットの領域マッピングテーブルを参照して１ビットを得るデータ受信方法。
【請求項３１】
ｎは４以上の正の整数であり、
該受信信号点に最も近い送信信号点に対応する２ｎ＋１ビットのデータ中の９ビットを、四つの２ビットの領域マッピングテーブルである表７２、表７３、表７４、表７５と、一つの１ビットの領域マッピングテーブルである表７６とによって定めることを特徴とする請求項３０記載のデータ受信方法。
【表７２】
2011068119.tif 000074
【表７３】
2011068119.tif 000075
【表７４】
2011068119.tif 000076
【表７５】
2011068119.tif 000077
【表７６】
2011068119.tif 000078
【請求項３２】
ｎは４以上の整数であり、
該受信信号点に最も近い送信信号点に対応する２ｎ＋１ビットのデータ中の９ビットを四つの２ビットの領域マッピングテーブルである表７７、表７８、表７９、表８０と、一つの１ビットの領域マッピングテーブル表８１とによって定めることを特徴とする請求項２４記載のデータ受信方法。
【表７７】
2011068119.tif 000079
【表７８】
2011068119.tif 000080
【表７９】
2011068119.tif 000081
【表８０】
2011068119.tif 000082
【表８１】
2011068119.tif 000083
【請求項３３】
請求項３１又は３２記載のデータ受信方法において、四つの２ビットの領域マッピングテーブルの四つの２ビットパターン００、０１、１０、１１を隣接する領域間でハミング距離が不変な変換によって変換して得られたテーブルを領域マッピングテーブルとし、一つの１ビットの領域マッピングテーブルの二つの１ビットパターン０、１を置換して得られたテーブルを領域マッピングテーブルとして使用することを特徴とするデータ受信方法。
【請求項３４】
矩形に配置された２２ｎ個の信号点の一部を円状に再配置し（ｎは正の整数）、円状配置された２２ｎ個の信号点を用いて、２ｎビットのデータを伝送する２２ｎＱＡＭの変調方式の変調装置であって、
矩形配置に一致する信号点に、下位２ｔ ビットと上位２（ｎ−ｔ）を各々独立にグレイ符号を適用した２ｎビットのパターンを対応させる第１の対応部と（ｔはｎより小さい正の整数）、
円状に再配置された各信号点に、該矩形配置に一致する信号点に割当てられたパターンを除いた２ｎビットのパターンの中で、隣接する信号点間における下位２ｔビットの平均ハミング距離が最小、かつ下位２ｔビットが一致する信号点間のユークリッド距離が最大となるように２ｎビットのパターンを対応させる第２の対応部とを備えた変調装置。
【請求項３５】
矩形に配置された２２ｎ個の信号点の一部を円状に再配置し（ｎは正の整数）、円状配置された２２ｎ個の信号点を用いて、２ｎビットのデータを伝送する２２ｎＱＡＭの変調方式の変調装置であって、
２２ｎ個の信号点を含む信号領域を複数個の領域に分割し、分割された各領域の内、該矩形配置に含まれる領域に対して、隣接する領域間のハミング距離が１だけ異なるグレイ符号を適用して２ビットを割当て、矩形配置に含まれない該分割された各領域に対して、隣接する領域間の平均ハミング距離が最小となるように２ビットを割り当てる領域マッピングテーブルをｎ種類備え、
前記２ｎビットのデータに対する信号点を、２ｎビットのデータをｎ個の２ビットデータに分割し、各々を分割された領域の形が互いに異なるｎ種類の前記領域マッピングテーブルを参照して得られるｎ個の信号領域の共通部分に配置された信号点とする設定部を備えた変調装置。
【請求項３６】
十字形に配置された２２ｎ＋１個の信号点を用いて２ｎ＋１ビットのデータを伝送する２２ｎ＋１ＱＡＭの変調方式の変調装置であって（ｎは正の整数）、
２２ｎ＋１個の信号点を含む信号領域を複数個の領域に分割し、分割された各領域において、隣接する領域間が互いに異なるように２ビットを割り当てる第１の領域マッピングテーブルと、２２ｎ＋１個の信号点を含む信号領域を複数個の領域に分割し、分割された各領域に隣接する領域間が互いに異なるように１ビットを割り当てる第２の領域マッピングテーブルを備え、
前記２ｎ＋１ビットのデータに対する信号点を、２ｎ＋１ビットのデータをｎ個の２ビットデータと１個の１ビットデータに分割し、２ビットデータの各々を分割された領域の形が互いに異なるｎ個の前記第１の領域マッピングテーブルを参照して得られるｎ個の信号領域の共通部分と、１ビットデータに対応して、前記第２の領域マッピングテーブルによって定まる領域との共通部分に配置された信号点とする設定部を備えた変調装置。
【請求項３７】
十字形に配置された２２ｎ＋１個の信号点の一部を円状に再配置した２２ｎ＋１個の信号点を用いて、２ｎ＋１ビットのデータを伝送する２２ｎ＋１ＱＡＭの変調方式を用いた変調装置であって（ｎは正の整数）、
２２ｎ＋１個の信号点を含む信号領域を複数個の領域に分割し、分割された各領域において、隣接する領域間が互いに異なるように２ビットを割り当てる第１の領域マッピングテーブルと、２２ｎ＋１個の信号点を含む信号領域を複数個の領域に分割し、分割された各領域に隣接する領域間が互いに異なるように１ビットを割り当てる第２の領域マッピングテーブルとを備え、
前記２ｎ＋１ビットのデータに対する信号点を、２ｎ＋１ビットのデータをｎ個の２ビットデータと１個の１ビットデータに分割し、２ビットデータの各々を分割された領域の形が互いに異なるｎ個の第１の領域マッピングテーブルを参照して得られるｎ個の信号領域の共通部分と、該１ビットデータに対応して、前記第２の領域マッピングテーブルによって定まる領域との共通部分に配置された信号点とする設定部とを備えた変調装置。
【請求項３８】
円状に配置された２２ｎ個の信号点を用いて、２ｎビットのデータを伝送する２２ｎＱＡＭの変調方式を用いた復調装置であって（ｎは正の整数）、
伝送する該２ｎビットのデータと該２２ｎ個の信号点の対応が請求項２記載の方法で定められたデータ伝送方法によって定められ、受信信号点から該受信信号点に最も近い送信信号点に対応する２ｎビットのデータを算出する算出部と、
該受信信号点を含む領域に対応して請求項２記載のｎ個の領域マッピングテーブルと同一のｎ個の領域マッピングテーブルを参照してｎ個の２ビットデータを得る取得部とを備えた復調装置。
【請求項３９】
十字形に配置された２２ｎ＋１個の信号点を用いて、２ｎ＋１ビットのデータを伝送する２２ｎ＋１ＱＡＭの変調方式を用いた復調装置であって（ｎは正の整数）、
伝送する該２ｎ＋１ビットのデータと該２２ｎ＋１個の信号点の対応が請求項１１記載の方法で定められたデータ伝送方式によって定められ、受信信号点から該受信信号点に最も近い送信信号点に対応する２ｎ＋１ビットのデータを算出する算出部と、
該受信信号点を含む領域に対応して請求項１１記載のｎ個の２ビットの領域マッピングテーブルを参照してｎ個の２ビットデータを得るとともに、１ビットの領域マッピングテーブルを参照して１ビットを得る取得部とを備えた復調装置。
【請求項４０】
十字形に配置された２２ｎ＋１個の信号点の一部を円状に再配置した２２ｎ＋１個の信号点を用いて、２ｎ＋１ビットのデータを伝送する２２ｎ＋１ＱＡＭの変調方式を用いた復調装置であって（ｎは正の整数）、
伝送する該２ｎ＋１ビットのデータと該２２ｎ＋１個の信号点の対応が請求項１４記載の方法で定められたデータ伝送方式によって定められ、受信信号点から該受信信号点に最も近い送信信号点に対応する２ｎ＋１ビットのデータを算出する算出部と、
該受信信号点を含む領域に対応して請求項１４記載のｎ個の２ビットの領域マッピングテーブルを参照してｎ個の２ビットデータを得るとともに、１ビットの領域マッピングテーブルを参照して１ビットを得る取得部とを備えた復調装置。
【発明の詳細な説明】
【技術分野】
【０００１】
本発明は、誤り訂正符号を適用した変復調方法を用いた、データ伝送方法、データ受信方法、データ変調装置及びデータ復調装置に関し、特に、ｍを５以上の整数として多値数を２ｍとした多値直交振幅変復調（Ｑｕａｄｒａｔｕｒｅ Ａｍｐｌｉｔｕｄｅ Ｍｏｄｕｌａｔｉｏｎ；ＱＡＭ）方法に好適に用いられる、データ伝送方法、データ受信方法、データ変調装置及びデータ復調装置に関する。
【背景技術】
【０００２】
従来より、デジタルマイクロ波通信方式をはじめとする各種通信方式において、６４ＱＡＭ，１２８ＱＡＭ，２５６ＱＡＭなど２ｍＱＡＭの変復調方式が使用されている（ｍは正整数である）。２ｍＱＡＭの変復調方式においては、全部で２ｍ個からなるｍビットのデータを２ｍ個の信号点に割当てるビットマッピングを通して通信を行う。【０００３】
一方、通信中に生じるノイズからデータを保護するため、冗長データを付加することによりエラー耐力を向上させる誤り訂正符号が適用される。誤り訂正符号の適用によって、一般に誤り率は大きく改善されるが、その効果は、前記信号点マッピングとの組み合わせ方によって異なることが知られている（例えば非特許文献１，２）。特に、各信号点間の距離と、各信号点にマッピングされたｍビットデータ間のハミング距離の間の関係を考慮して誤り訂正符号の冗長ビットの配分を変えることにより、その効果を高めることができる。これにより、帯域制限のある通信路において、誤り率を劣化させることなく、冗長ビットの付加による帯域の拡大を抑えることも可能となる。【０００４】
以下の説明ではビット列間のハミング距離と区別するため、信号点間の距離をユークリッド距離と呼ぶ。【０００５】
図１及び図２は１６ＱＡＭの変調方式にリードソロモン符号（ＲＳ符号）、あるいは低密度パリティ検査符号（ＬＤＰＣ符号）等の誤り訂正符号を適用して、データ通信を行う背景技術の一例を示したものである。【０００６】
図１は１６個の信号点への４ビットのマッピングを、隣接する各信号点に割当てられた各ビット列間のハミング距離が1となる、グレイマッピングを適用している。送信側は、符号化装置１１による、誤り訂正符号によって符号化されたデータを４ビット毎に区切り、グレイマッピング装置１２を通して対応する対応する信号点を求め、送信信号を送る。受信側では受信信号から、それにユークリッド距離が最も近い信号点を選択し、選択された信号点に対応する４ビットを導くデマッピング装置１３を通して得られたビット列に対し、復号化装置１４により誤り訂正符号の復号処理を行う。【０００７】
しかしながら、通信路ノイズによって、受信側で選択された信号点が送信信号点と異なる場合が生じ、この場合にデマッピングの結果としてビットエラーを生じる。通信システムの主たる誤り発生要因の一つは、その振幅が正規分布に従う熱雑音であり、送信信号点にユークリッド距離が近い信号点ほど、受信側で選択される確率が高くなる。よって、熱雑音によって誤って選択されやすい隣接する信号点間のハミング距離が大きい場合には、同じ雑音レベルに対するビット誤り率が高くなる。全ての隣接する信号点間のハミング距離が１となるグレイマッピングはこの意味において最適なビットマッピングとなる。しかし、その一方で、誤り訂正符号を効果的に適用するという観点からみると、必ずしも信号点にマッピングした４ビット全てに対して均一に誤り訂正符号化する必要はなく、一部のビットに対してのみ誤り訂正符号化することで同様の効果を得られる場合がある。【０００８】
図２は１６ＱＡＭの１６個の信号点に対する４ビットのマッピング方法を変えて、下位２ビットにのみ誤り訂正符号を適用したデータ通信方式を示したものである。【０００９】
このビットマッピングは、隣接する信号点間のハミング距離が必ずしも１とはならないものの、下位２ビットのみに注目すると隣接する信号点間のハミング距離が１となっており、さらに下位２ビットが一致する信号点間のユークリッド距離が最も大きくなるように設定されている。【００１０】
送信側では、符号化装置２１により、誤り訂正符号を適用したビット列を下位２ビットに割り当て、ダブルグレイマッピング装置２２により図２のように対応する信号点を求め、送信信号を送る。受信側では、第１デマッピッピング装置２３により受信信号から、それにユークリッド距離が最も近い信号点を選択し、復号化装置２４により、選択された信号点に対応する４ビット中の下位２ビットに対して誤り訂正符号の復号処理を行う。次いで、第２デマッピング装置２５により、誤り訂正処理して得られた２ビットと、下位２ビットが一致する４つの信号点の内、最も受信信号点からのユークリッド距離が近いものを選択して、残りの上位２ビットを決定する。【００１１】
下位２ビット部分が誤り訂正符号によって正しく訂正されれば、前記の送信信号点にユークリッド距離が近い信号点ほど受信側で選択される確率が高いという性質と、下位２ビットが一致する信号点間のユークリッド距離が大きいことから、上位２ビットが誤る確率は非常に小さくなり、上位２ビットを誤り訂正符号化しないことの実質的なデメリットはないと言える。特に誤り訂正符号の適用による帯域拡大が制限される通信路においては、図１の方法と比較して少ない冗長ビット数で同等の誤り率を達成することができるため、非常に効果的である。図２の方法は、ビットマッピングを工夫することで、各信号点に対応する４ビットを、ビットエラー確率が小さいビット部分と大きいビット部分に分割し、ビットエラー確率が大きいビット部分にのみ誤り訂正符号を適用したものと言える。【００１２】
上記の図２にその一例を示したビットマッピング方法はダブルグレイマッピングと呼ばれている（非特許文献３）。これは誤り訂正符号化を適用しない上位ビットと誤り訂正符号化を適用する下位ビットで独立にグレイマッピングを適用するものであり、２２ｎＱＡＭの変復調方式において（ｎは正の整数）、信号点配置が矩形の時に適用可能であるが、指数が奇数の場合の２２ｎ＋１ＱＡＭの変復調方式や、指数が偶数の場合でも信号点配置が矩形で無い場合（非特許文献４）には適用できない。【００１３】
また、無符号化部分を含まず、全ビットに誤り訂正符号を適用する図１の場合のグレイマッピングに関しても、信号点配置が矩形でない場合には、一般に隣接する信号点間に割当てられたビット列間のハミング距離を１とすることはできない。尚、指数が奇数の２２ｎ＋１ＱＡＭで、信号点配置が十字形の場合に関しては、隣接する信号点間のハミング距離が最も小さくなるマッピング方法として、特許文献１の方法が知られている。【００１４】
各形状の信号点配置に対するビットマッピング方法としてセットパーティショニング（Ｓｅｔ Ｐａｒｔｉｔｉｏｎｉｎｇ）が知られており、下位ビット部分をトレリス符号で符号化するＴＣＭ方式（非特許文献２）が知られている。セットパーティショニングでは符号化を適用する下位ビットが一致する信号点間のユークリッド距離が最大であるものの、隣接する信号点間の平均ハミング距離については考慮されていないため、この部分に関するビット誤り率は悪く、適用したＳｅｔ Ｐａｒｔｉｔｉｏｎｉｎｇに対応するトレリス符号以外の誤り訂正符号（例えばＲＳ符号やＬＤＰＣ符号等）の適用には向いていないマッピング方法と言える。
【先行技術文献】
【特許文献】
【００１５】
【特許文献１】国際公開第2007/046558号パンフレット
【非特許文献】
【００１６】
【非特許文献１】筆者  Ｇ．Ｕｎｇｅｒｂｏｅｃｋ題名  Ｃｈａｎｎｅｌ Ｃｏｄｉｎｇ ｗｉｔｈ ｍｕｌｔｉｌｅｖｅｌ／ｐｈａｓｅ ｓｉｇｎａｌｓ発行元 ＩＥＥＥ Ｔｒａｎｓａｃｔｉｏｎｓ ｏｎ Ｉｎｆｏｒｍａｔｉｏｎ Ｔｈｅｏｒｙ発行年月日 １９８２年１月１日説明頁 第５５頁から第６７頁
【非特許文献２】筆者  Ｈ．Ｉｍａｉ  ＆  Ｓ．Ｈｉｒａｋａｗａ題名  Ａ Ｎｅｗ Ｍｕｌｔｉｌｅｖｅ Ｃｏｄｉｎｇ Ｍｅｔｈｏｄ ｕｓｉｎｇ Ｅｒｒｏｒ−Ｃｏｒｒｅｃｔｉｎｇ Ｃｏｄｅｓ発行元 ＩＥＥＥ Ｔｒａｎｓａｃｔｉｏｎｓ ｏｎ Ｉｎｆｏｒｍａｔｉｏｎ Ｔｈｅｏｒｙ発行年月日 １９７７年５月１日説明頁 第３７１頁から第３７７頁
【非特許文献３】筆者  Ｅ．Ｅｌｅｆｔｈｅｒｉｏｕ  ＆  Ｓ．Ｏｌｃｅｒ題名  Ｌｏｗ−Ｄｅｎｓｉｔｙ Ｐａｒｉｔｙ−Ｃｈｅｃｋ Ｃｏｄｅｓ ｆｏｒ Ｄｉｇｉｔａｌ Ｓｕｂｓｃｒｉｂｅｒ Ｌｉｎｅｓ発行元 ＩＥＥＥ Ｉｎｔｅｒｎａｔｉｏｎａｌ Ｃｏｎｆｅｒｅｎｃｅ ｏｎ Ｃｏｍｍｕｎｉｃａｔｉｏｎｓ発行年月日 ２００２年 ４月２８日説明頁 第１７５３頁から第１７５７頁
【非特許文献４】筆者  Ｈ．Ｔａｈａｒａ，Ｔ．Ｄｅｇｕｃｈｉ，Ｓ．Ｍｉｚｏｇｕｃｈｉ，Ｙ．Ｙｏｓｈｉｄａ題名  ６ＧＨｚ  １４０Ｍｂｐｓ  Ｄｉｇｉｔａｌ  Ｒａｄｉｏ  Ｓｙｓｔｅｍ  ｗｉｔｈ  ２５６−ＳＳＱＡＭ  Ｍｏｄｕｌａｔｉｏｎ発行元 ＩＥＥＥ Ｇｌｏｂａｌ  Ｃｏｍｍｕｎｉｃａｔｉｏｎｓ  Ｃｏｎｆｅｒｅｎｃｅ発行年月日 １９８７年１１月１５日説明頁 第１４９５頁から第１５００頁
【発明の概要】
【発明が解決しようとする課題】
【００１７】
任意の形状に配置された信号点を用いて、ｍビットのデータを伝送する２ｍＱＡＭ方式において、隣接する信号点間の下位ｓビット部分（ｓはｍより小さい正整数）に関するハミング距離の平均値が小さく、該下位ｓビット部分が一致する信号点に関しては、信号点間のユークリッド距離が最大となるビットマッピングによって、特に該下位ｓビット部分に誤り訂正符号を適用することで、帯域拡大を抑え、尚且つ誤り率特性に優れたデータ通信方式を提供することが可能となる。しかしながら、前記[背景技術]において説明したように、信号点が矩形に配置された場合を除いて、このようなビットマッピング方法は提供されていなかった。尚、セットパーティショニングによるビットマッピング方法は、下位ｓビットが一致する信号点に関して信号点間が最大となるビットマッピングであるが、隣接する信号点間の下位ｓビット部分に関するハミング距離の平均値が小さくないため、要件を満たしていない。
［発明の目的］
本発明の典型的(exemplary)な目的は、上記の技術課題に鑑みてなされたものであって、信号点が十字形配置の場合、及び平均電力、ピーク電力を下げるため、矩形、あるいは十字形に配置された信号点の一部を再配置した円状配置の場合において、隣接する信号点間の下位ビット部分に関するハミング距離の平均値が小さく、下位ビット部分が一致する信号点に関しては、信号点間のユークリッド距離が大きくなるビットマッピング方法を提供し、それを用いたデータ通信方法を提供することにある。信号点の円状配置は、矩形配置と比較してピークエネルギーを減少させることができる分、非線形歪に対する特性に優れた通信方式を提供することが可能となる。
【課題を解決するための手段】
【００１８】
本発明に係わる典型的な第１のデータ伝送方法は、矩形に配置された２２ｎ個の信号点の一部を円状に再配置し（ｎは正の整数）、円状配置された２２ｎ個の信号点を用いて、２ｎビットのデータを伝送する２２ｎＱＡＭの変調方式のデータ伝送方法であって、
矩形配置に一致する信号点に、下位２ｔ ビットと上位２（ｎ−ｔ）を各々独立にグレイ符号を適用した２ｎビットのパターンを対応させる第１手順と（ｔはｎより小さい正の整数）、
円状に再配置された各信号点に、該矩形配置に一致する信号点に割当てられたパターンを除いた２ｎビットのパターンの中で、隣接する信号点間における下位２ｔビットの平均ハミング距離が最小、かつ下位２ｔビットが一致する信号点間のユークリッド距離が最大となるように２ｎビットのパターンを対応させる第２手順とを備え、
伝送する２ｎビットに対して、前記第２手順によって定まる信号点を送信するデータ伝送方法である。【００１９】
本発明に係わる典型的な第２のデータ伝送方法は、矩形に配置された２２ｎ個の信号点の一部を円状に再配置し（ｎは正の整数）、円状配置された２２ｎ個の信号点を用いて、２ｎビットのデータを伝送する２２ｎＱＡＭの変調方式のデータ伝送方法であって、
２２ｎ個の信号点を含む信号領域を複数個の領域に分割し、分割された各領域の内、該矩形配置に含まれる領域に対して、隣接する領域間のハミング距離が１だけ異なるグレイ符号を適用して２ビットを割当て、矩形配置に含まれない該分割された各領域に対して、隣接する領域間の平均ハミング距離が最小となるように２ビットを割り当てる領域マッピングテーブルをｎ種類設け、
前記２ｎビットのデータに対する信号点を、２ｎビットのデータをｎ個の２ビットデータに分割し、各々を分割された領域の形が互いに異なるｎ種類の前記領域マッピングテーブルを参照して得られるｎ個の信号領域の共通部分に配置された信号点とするデータ伝送方法である。【００２０】
本発明に係わる典型的な第３のデータ伝送方法は、十字形に配置された２２ｎ＋１個の信号点を用いて２ｎ＋１ビットのデータを伝送する２２ｎ＋１ＱＡＭの変調方式のデータ伝送方法であって（ｎは正の整数）、
２２ｎ＋１個の信号点を含む信号領域を複数個の領域に分割し、分割された各領域において、隣接する領域間が互いに異なるように２ビットを割り当てる第１の領域マッピングテーブルと、２２ｎ＋１個の信号点を含む信号領域を複数個の領域に分割し、分割された各領域に隣接する領域間が互いに異なるように１ビットを割り当てる第２の領域マッピングテーブルを設け、
前記２ｎ＋１ビットのデータに対する信号点を、２ｎ＋１ビットのデータをｎ個の２ビットデータと１個の１ビットデータに分割し、２ビットデータの各々を分割された領域の形が互いに異なるｎ個の前記第１の領域マッピングテーブルを参照して得られるｎ個の信号領域の共通部分と、１ビットデータに対応して、前記第２の領域マッピングテーブルによって定まる領域との共通部分に配置された信号点とするデータ伝送方法である。【００２１】
本発明に係わる典型的な第４のデータ伝送方法は、十字形に配置された２２ｎ＋１個の信号点の一部を円状に再配置した２２ｎ＋１個の信号点を用いて、２ｎ＋１ビットのデータを伝送する２２ｎ＋１ＱＡＭの変調方式を用いたデータ伝送方法であって（ｎは正の整数）、
２２ｎ＋１個の信号点を含む信号領域を複数個の領域に分割し、分割された各領域において、隣接する領域間が互いに異なるように２ビットを割り当てる第１の領域マッピングテーブルと、２２ｎ＋１個の信号点を含む信号領域を複数個の領域に分割し、分割された各領域に隣接する領域間が互いに異なるように１ビットを割り当てる第２の領域マッピングテーブルとを設け、
前記２ｎ＋１ビットのデータに対する信号点を、２ｎ＋１ビットのデータをｎ個の２ビットデータと１個の１ビットデータに分割し、２ビットデータの各々を分割された領域の形が互いに異なるｎ個の第１の領域マッピングテーブルを参照して得られるｎ個の信号領域の共通部分と、該１ビットデータに対応して、前記第２の領域マッピングテーブルによって定まる領域との共通部分に配置された信号点とするデータ伝送方法である。【００２２】
本発明に係わる典型的な第１のデータ受信方法は、円状に配置された２２ｎ個の信号点を用いて、２ｎビットのデータを伝送する２２ｎＱＡＭの変調方式を用い（ｎは正の整数）、
伝送する該２ｎビットのデータと該２２ｎ個の信号点の対応が上記本発明に係わる第２のデータ伝送方法によって定められ、受信信号点から該受信信号点に最も近い送信信号点に対応する２ｎビットのデータを算出するデータ受信方法であって、
該受信信号点を含む領域に対応して請求項２記載のｎ個の領域マッピングテーブルと同一のｎ個の領域マッピングテーブルを参照してｎ個の２ビットデータを得るデータ受信方法である。【００２３】
本発明に係わる典型的な第２のデータ受信方法は、十字形に配置された２２ｎ＋１個の信号点を用いて、２ｎ＋１ビットのデータを伝送する２２ｎ＋１ＱＡＭの変調方式を用い（ｎは正の整数）、
伝送する該２ｎ＋１ビットのデータと該２２ｎ＋１個の信号点の対応が上記本発明に係わる第３のデータ伝送方法によって定められ、受信信号点から該受信信号点に最も近い送信信号点に対応する２ｎ＋１ビットのデータを算出するデータ受信方法であって、
該受信信号点を含む領域に対応して請求項１１記載のｎ個の２ビットの領域マッピングテーブルを参照してｎ個の２ビットデータを得るとともに、１ビットの領域マッピングテーブルを参照して１ビットを得るデータ受信方法である。【００２４】
本発明に係わる典型的な第３のデータ受信方法は、十字形に配置された２２ｎ＋１個の信号点の一部を円状に再配置した２２ｎ＋１個の信号点を用いて、２ｎ＋１ビットのデータを伝送する２２ｎ＋１ＱＡＭの変調方式を用い（ｎは正の整数）、
伝送する該２ｎ＋１ビットのデータと該２２ｎ＋１個の信号点の対応が上記本発明に係わる第４のデータ伝送方法によって定められ、受信信号点から該受信信号点に最も近い送信信号点に対応する２ｎ＋１ビットのデータを算出するデータ受信方法であって、
該受信信号点を含む領域に対応して請求項１４記載のｎ個の２ビットの領域マッピングテーブルを参照してｎ個の２ビットデータを得るとともに、１ビットの領域マッピングテーブルを参照して１ビットを得るデータ受信方法である。【００２５】
本発明に係わる典型的な第１の変調装置は、矩形に配置された２２ｎ個の信号点の一部を円状に再配置し（ｎは正の整数）、円状配置された２２ｎ個の信号点を用いて、２ｎビットのデータを伝送する２２ｎＱＡＭの変調方式の変調装置であって、
矩形配置に一致する信号点に、下位２ｔ ビットと上位２（ｎ−ｔ）を各々独立にグレイ符号を適用した２ｎビットのパターンを対応させる第１の対応部と（ｔはｎより小さい正の整数）、
円状に再配置された各信号点に、該矩形配置に一致する信号点に割当てられたパターンを除いた２ｎビットのパターンの中で、隣接する信号点間における下位２ｔビットの平均ハミング距離が最小、かつ下位２ｔビットが一致する信号点間のユークリッド距離が最大となるように２ｎビットのパターンを対応させる第２の対応部とを備えた変調装置である。【００２６】
本発明に係わる典型的な第２の変調装置は、矩形に配置された２２ｎ個の信号点の一部を円状に再配置し（ｎは正の整数）、円状配置された２２ｎ個の信号点を用いて、２ｎビットのデータを伝送する２２ｎＱＡＭの変調方式の変調装置であって、
２２ｎ個の信号点を含む信号領域を複数個の領域に分割し、分割された各領域の内、該矩形配置に含まれる領域に対して、隣接する領域間のハミング距離が１だけ異なるグレイ符号を適用して２ビットを割当て、矩形配置に含まれない該分割された各領域に対して、隣接する領域間の平均ハミング距離が最小となるように２ビットを割り当てる領域マッピングテーブルをｎ種類備え、
前記２ｎビットのデータに対する信号点を、２ｎビットのデータをｎ個の２ビットデータに分割し、各々を分割された領域の形が互いに異なるｎ種類の前記領域マッピングテーブルを参照して得られるｎ個の信号領域の共通部分に配置された信号点とする設定部を備えた変調装置である。【００２７】
本発明に係わる典型的な第３の変調装置は、十字形に配置された２２ｎ＋１個の信号点を用いて２ｎ＋１ビットのデータを伝送する２２ｎ＋１ＱＡＭの変調方式の変調装置であって（ｎは正の整数）、
２２ｎ＋１個の信号点を含む信号領域を複数個の領域に分割し、分割された各領域において、隣接する領域間が互いに異なるように２ビットを割り当てる第１の領域マッピングテーブルと、２２ｎ＋１個の信号点を含む信号領域を複数個の領域に分割し、分割された各領域に隣接する領域間が互いに異なるように１ビットを割り当てる第２の領域マッピングテーブルを備え、
前記２ｎ＋１ビットのデータに対する信号点を、２ｎ＋１ビットのデータをｎ個の２ビットデータと１個の１ビットデータに分割し、２ビットデータの各々を分割された領域の形が互いに異なるｎ個の前記第１の領域マッピングテーブルを参照して得られるｎ個の信号領域の共通部分と、１ビットデータに対応して、前記第２の領域マッピングテーブルによって定まる領域との共通部分に配置された信号点とする設定部を備えた変調装置である。【００２８】
本発明に係わる典型的な第４の変調装置は、十字形に配置された２２ｎ＋１個の信号点の一部を円状に再配置した２２ｎ＋１個の信号点を用いて、２ｎ＋１ビットのデータを伝送する２２ｎ＋１ＱＡＭの変調方式を用いた変調装置であって（ｎは正の整数）、
２２ｎ＋１個の信号点を含む信号領域を複数個の領域に分割し、分割された各領域において、隣接する領域間が互いに異なるように２ビットを割り当てる第１の領域マッピングテーブルと、２２ｎ＋１個の信号点を含む信号領域を複数個の領域に分割し、分割された各領域に隣接する領域間が互いに異なるように１ビットを割り当てる第２の領域マッピングテーブルとを備え、
前記２ｎ＋１ビットのデータに対する信号点を、２ｎ＋１ビットのデータをｎ個の２ビットデータと１個の１ビットデータに分割し、２ビットデータの各々を分割された領域の形が互いに異なるｎ個の第１の領域マッピングテーブルを参照して得られるｎ個の信号領域の共通部分と、該１ビットデータに対応して、前記第２の領域マッピングテーブルによって定まる領域との共通部分に配置された信号点とする設定部とを備えた変調装置である。【００２９】
本発明に係わる典型的な第１の復調装置は、円状に配置された２２ｎ個の信号点を用いて、２ｎビットのデータを伝送する２２ｎＱＡＭの変調方式を用いた復調装置であって（ｎは正の整数）、
伝送する該２ｎビットのデータと該２２ｎ個の信号点の対応が上記本発明に係わる第２のデータ伝送方法によって定められ、受信信号点から該受信信号点に最も近い送信信号点に対応する２ｎビットのデータを算出する算出部と、
該受信信号点を含む領域に対応して請求項２記載のｎ個の領域マッピングテーブルと同一のｎ個の領域マッピングテーブルを参照してｎ個の２ビットデータを得る取得部とを備えた復調装置である。【００３０】
本発明に係わる典型的な第２の復調装置は、十字形に配置された２２ｎ＋１個の信号点を用いて、２ｎ＋１ビットのデータを伝送する２２ｎ＋１ＱＡＭの変調方式を用いた復調装置であって（ｎは正の整数）、
伝送する該２ｎ＋１ビットのデータと該２２ｎ＋１個の信号点の対応が上記本発明に係わる第３のデータ伝送方法によって定められ、受信信号点から該受信信号点に最も近い送信信号点に対応する２ｎ＋１ビットのデータを算出する算出部と、
該受信信号点を含む領域に対応して請求項１１記載のｎ個の２ビットの領域マッピングテーブルを参照してｎ個の２ビットデータを得るとともに、１ビットの領域マッピングテーブルを参照して１ビットを得る取得部とを備えた復調装置である。【００３１】
本発明に係わる典型的な第３の復調装置は、十字形に配置された２２ｎ＋１個の信号点の一部を円状に再配置した２２ｎ＋１個の信号点を用いて、２ｎ＋１ビットのデータを伝送する２２ｎ＋１ＱＡＭの変調方式を用いた復調装置であって（ｎは正の整数）、
伝送する該２ｎ＋１ビットのデータと該２２ｎ＋１個の信号点の対応が上記本発明に係わる第４のデータ伝送方式によって定められ、受信信号点から該受信信号点に最も近い送信信号点に対応する２ｎ＋１ビットのデータを算出する算出部と、
該受信信号点を含む領域に対応して請求項１４記載のｎ個の２ビットの領域マッピングテーブルを参照してｎ個の２ビットデータを得るとともに、１ビットの領域マッピングテーブルを参照して１ビットを得る取得部とを備えた復調装置である。
【発明の効果】
【００３２】
本発明によれば、ビット誤り率特性に優れ、非線形歪に対する特性に優れた多値データ通信方式を提供することが可能となる。
【図面の簡単な説明】
【００３３】
【図１】１６ＱＡＭデータ通信に関する背景技術（全ビット符号化）を説明する図である。
【図２】１６ＱＡＭデータ通信に関する他の背景技術（上位２ビット無符号化）を説明する図である。
【図３】信号点空間の分割（３２分割）を説明する図である。
【図４】信号点空間の分割（２５６分割）を説明する図である。
【図５】信号点空間の分割（５１２分割）を説明する図である。
【図６】領域分割とビット割当て（上位２ビット）を説明する図である。
【図７】領域分割とビット割当て（第３ビット、第４，５ビット）を説明する図である。
【図８】領域分割とビット割当て（第３ビット、第４，５ビット）を説明する図である。
【図９】領域分割とビット割当て（第１，２ビット、第３，４ビット）を説明する図である。
【図１０】領域分割とビット割当て（第５，６ビット、第７，８ビット）を説明する図である。
【図１１】領域分割とビット割当て（第１，２ビット、第３，４ビット）を説明する図である。
【図１２】領域分割とビット割当て（第５，６ビット）を説明する図である。
【図１３】領域分割とビット割当て（第１，２ビット、第３ビット）を説明する図である。
【図１４】領域分割とビット割当て（第４，５ビット、第６，７ビット）を説明する図である。
【図１５】領域分割とビット割当て（第８，９ビット）を説明する図である。
【図１６】領域分割とビット割当て（第３ビット、第４，５ビット）を説明する図である。
【図１７】３２ＱＡＭ方式におけるＩ，Ｑ軸と信号点の関係を示す図である。
【図１８】２２ｎ＋１ＱＡＭ方式（符号化）を説明する図である。
【図１９】２２ｎ＋１ＱＡＭ方式（復号）を説明する図である。
【図２０】２２ｎＱＡＭ方式（符号化；ｎ≧４）を説明する図である。
【図２１】２２ｎＱＡＭ方式（復号；ｎ≧４）を説明する図である。
【図２２】２２ｎ＋１ＱＡＭ方式（符号化；ｎ≧４）を説明する図である。
【図２３】２２ｎ＋１ＱＡＭ方式（復号；ｎ≧４）を説明する図である。
【図２４】信号点空間の分割（１０２４分割）を説明する図である。
【図２５】領域分割とビット割当て（第１，２ビット）を説明する図である。
【図２６】領域分割とビット割当て（第３，４ビット）を説明する図である。
【図２７】領域分割とビット割当て（第５，６ビット）を説明する図である。
【図２８】領域分割とビット割当て（第７，８ビット）を説明する図である。
【図２９】領域分割とビット割当て（第９，１０ビット）を説明する図である。
【図３０】領域分割とビット割当て（第１，２ビット）を説明する図である。
【図３１】領域分割とビット割当て（第３，４ビット）を説明する図である。
【図３２】領域分割とビット割当て（第５，６ビット）を説明する図である。
【図３３】矩形に配置された２２ｎ個の信号点の一部を円状に再配置し（ｎは正の整数）、円状配置された２２ｎ個の信号点を用いて、２ｎビットのデータを伝送する２２ｎＱＡＭの変調方式の変調装置の一構成例を示すブロック図である。
【図３４】矩形に配置された２２ｎ個の信号点の一部を円状に再配置し（ｎは正の整数）、円状配置された２２ｎ個の信号点を用いて、２ｎビットのデータを伝送する２２ｎＱＡＭの変調方式の変調装置の他の構成例を示すブロック図である。
【図３５】図１８（Ｂ）のアドレス生成装置３３の一構成例を示すブロック図である。
【図３６】十字形に配置された２２ｎ＋１個の信号点の一部を円状に再配置した２２ｎ＋１個の信号点を用いて、２ｎ＋１ビットのデータを伝送する２２ｎ＋１ＱＡＭの変調方式を用いた変調装置の一構成例を示すブロック図である。
【図３７】デマッピングを実行する装置（復調装置）の構成例を示すブロック図である。
【発明を実施するための形態】
【００３４】
次に、本発明の典型的な実施の形態について図面を参照して詳細に説明する。 
［第１の実施形態］
[構成の説明］
図３、図４、図５は信号領域を各々３２分割（図３）、２５６分割（図４）、５１２分割（図５）したものである。分割された１つの領域（図３、図４、図５中の□）には、２ｇ個の信号点が配置されているとする（ｇは０以上の偶数、すなわち、ｇ＝０，２，４，・・・）。図３には例として、□内に１（＝２０）個（図中、領域２−１内に１個）、あるいは□内に４（＝２２）個（図中、領域２−２内に４個）の信号点が配置されている例を示している。１個の時は３２ＱＡＭ、４個の時は１２８ＱＡＭの十字形信号点配置を３２分割した例となっている。
【００３５】
まず初めに３２ＱＡＭ信号点配置のマッピング方法について説明する。３２ＱＡＭ方式においては伝送する５ビットのデータを２＋１＋２ビットに分割し、分割された各２ビット、及び１ビットを細分割された信号領域に対応つける。信号領域の細分割方法と、それに細分割された各領域に対応するビットの割り当てを指定する領域マッピングテーブルの構成方法は次のようである。
【００３６】
伝送する５ビットに対して、ビット誤り率を小さくするためには、隣接する信号点間の平均ハミング距離を小さくする必要がある。この場合、まず上位２ビット（第１及び第２ビット）に対する信号領域を図６に従って定める。図６は信号領域を４つの象限に区切り、第一象限を１１、第二象限を１０、第三象限を００、第四象限を０１とするものである。表２９、表６９は図６の表と同一である。図７の２種類の領域分割は各々第３ビット（左図）、及び第４、５ビット（右図）に対する信号領域を示している。図６、図７において、いずれも隣接する領域間のハミング距離は１となっている。図７によって、第３、及び第４、５ビットに対する領域を選択すると、最終的に、伝送する５ビットに対し、図３に示した３２個の領域の一つが選択されることになる。図６及び図７によって、５ビットデータを３２個の信号点に割当てた場合、隣接する信号点間の平均ハミング距離は、特許文献１と同様に最小となるため、ビット誤り率特性に最も優れたマッピングとなっている。
【００３７】
次に、下位３ビットに注目し、隣接する信号点間の下位３ビット部分に関する平均ハミング距離が小さく、下位３ビットが一致する信号点間のユークリッド距離が大きいマッピング方法について説明する。
【００３８】
図６，図７によるマッピング方法は、例えば、下位ビットが０００となる４つの信号点間のユークリッド距離は隣接する信号点間のユークリッド距離Δに一致するため最小となっており、要件を満たしていない。この場合、上位２ビットに対する信号点領域を図６によって定める。そして下位３ビットを図８を使用して定める。図７と同様に、各領域にマッピングされた１ビット、あるいは２ビットは、隣接する領域間でハミング距離が１となっている。図８によって、第３ビット（５−Ｃ−１）、及び第４、５ビット（５−Ｃ−２）に対する領域を選択すると、最終的に、伝送する５ビットに対して図３に示した３２個の領域の一つが選択されることになる。表３１及び表７１は図８の表５−Ｃ−１と同じであり、表３０及び表７０は図８の表５−Ｃ−２と同じである。図６、及び図８によって、５ビットデータを３２個の信号点に割当てた場合、下位３ビットに注目すると隣接する信号点間の平均ハミング距離は、前述の図６，図７による場合と比較して若干大きくなるものの、下位３ビットが一致する信号点間のユークリッド距離は２Δ以上となり（第３ビットが１の場合には（√１０）Δ以上）、大きく改善されている。
【００３９】
図３において、分割された各領域に４つの信号点が含まれる場合には、７ビットのデータ伝送を行う１２８ＱＡＭ方式となるが、この場合も上位５ビットのマッピング方法は上述した３２ＱＡＭの場合と全く同様であって、残りの下位２ビットにはグレイマッピングを適用すればよい。
【００４０】
図４に示した、円状に配置された２５６個の信号点に関するマッピング方法について説明する。尚、図４の□内に、信号点を４個配置する場合には、１０２４ＱＡＭとなる。
【００４１】
通常、２５６ＱＡＭ、あるいは１０２４ＱＡＭ方式においては、その信号点は矩形に配置される。信号点配置が矩形の場合は、[背景技術]において説明したように、グレイマッピング、あるいはダブルグレイマッピングによって最適なマッピングが行える（非特許文献３）。
【００４２】
しかしながら、円状配置を用いることでピークエネルギーを減少させることができるため、非線形歪に対する特性の改善が可能となる利点がある。図４の円状配置において、領域内のＡで示した信号点を領域外の図４中のＡに示した部分に移動し、同様に、領域内のＢ〜Ｈで示した信号点を領域外の図４のＢ〜Ｈで示した信号点に移動すると矩形配置が得られる。このように、円状配置は矩形配置中の一部の信号点を移動することによって得られる。
【００４３】
２５６ＱＡＭ方式で伝送する８ビットのデータを２＋２＋２＋２ビットに分割し、分割された各２ビットを細分割された信号領域に対応つける。信号領域の細分割方法と、それに細分割された各領域に対応するビットの割り当てを指定する領域マッピングテーブルの構成方法について説明する。
【００４４】
まず上位２ビット（第１，第２ビット）に対する信号領域を図９の６−Ａ−１に従って定める。図９の６−Ａ−１は信号領域を４つの象限に区切り、第一象限を１１、第二象限を１０、第三象限を００、第四象限を０１とするものである。図９の６−Ａ−２を使用して第３，４ビットに対応する領域を選択する。表２及び表４２は図９の表６−Ａ−１と同じであり、表３、表１１、表４３及び表５１は図９の表６−Ａ−２と同じである。同様に図１０の６−Ｂ−１及び６−Ｂ−２に示した領域分割に基づいて、第５，６、及び第７，８ビットに対応する領域をそれぞれ選択し、選択された４つの領域の共通部分として、図４の２５６個の領域の内の一つを選択する。表４、表８、表４４及び表４８は図１０の表６−Ｂ−１と同じであり、表５、表９、表１３、表４５、表４９及び表５３は図１０の表６−Ｂ−２と同じである。図９、及び図１０によって、上記のように８ビットデータを２５６個の信号点に割当てた場合、隣接する信号点間の平均ハミング距離は小さくなり、ビット誤り率特性に優れたマッピングとなっている。尚、矩形配置の場合と異なり、一般にグレイマッピングが適用できないため、平均ハミング距離は１よりも大きくなる。図４において、分割された各領域に４つの信号点が含まれる場合には、１０ビットのデータ伝送を行う１０２４ＱＡＭ方式となるが、この場合も上位８ビットのマッピング方法は上で説明した２５６ＱＡＭの場合と全く同様であって、残りの下位２ビットにはグレイマッピングを適用すればよい。
【００４５】
次に、下位６ビットに注目し、隣接する信号点間の下位６ビット部分に関する平均ハミング距離が小さく、下位６ビットが一致する信号点間のユークリッド距離が大きいマッピング方法について説明する。前記の図９，図１０によるマッピング方法は、例えば、下位６ビットが００００００となる４つの信号点間のユークリッド距離は隣接する信号点間のユークリッド距離Δに一致するため最小となっており、要件を満たしていない。この場合、上位２ビット（第１，第２ビット）に対する信号点領域を図１１の６−Ｃ−１によって定める。そして第３，４ビットを図１１の６−Ｃ−２を使用して定める。表６、表１０、表４６及び表５０は図１１の表６−Ｃ−１と同じであり、表７及び表４７は図１１の表６−Ｃ−２と同じである。また第５，６，７，８ビットについては同様に図１０によって定める。図９を用いる代わりに、図１１によって第１，２、及び第３，４ビットに対する領域を選択した場合にも図４に示した２５６個の領域の内の一つが選択される。図１０及び図１１によって、８ビットデータを２５６個の信号点に割当てた場合、下位６ビットに注目すると隣接する信号点間の平均ハミング距離は、前述の図６，図７による場合と比較して若干大きくなるものの、下位６ビットが一致する信号点間のユークリッド距離は（√５０）Δ以上となり、大きく改善されている。「√５０」はルート５０(the square root of fiftyを意味する。)、下位６ビットにのみ誤り訂正符号を適用することで、帯域拡大を抑え、尚且つ誤り率特性に優れた通信装置の提供が可能となる。
【００４６】
次に、下位４ビットに注目し、隣接する信号点間の下位４ビット部分に関する平均ハミング距離が小さく、下位４ビットが一致する信号点間のユークリッド距離が大きいマッピング方法について説明する。この場合は、伝送する８ビットに対し、第１，２ビットを図１１の６−Ｃ−１を使用して、領域選択し、第３，４ビットは図９の６−Ａ−２、第５，６ビットに図１２を使用し、第７，８ビットには図１０の６−Ｂ−２を使用することで各領域を選択し、選択された全ての領域の共通部分として、図４に示した２５６個の領域の内の一つを選択する。表１２及び表５２は図１２の表と同じである。下位４ビットが一致する信号点間のユークリッド距離は（√１０）Δ以上となる。前記のように図４において、分割された各領域に４つの信号点が含まれる場合には、１０ビットのデータ伝送を行う１０２４ＱＡＭ方式となるが、この場合も上位８ビットのマッピング方法は上で説明した２５６ＱＡＭの場合と全く同様であって、残りの下位２ビットにはグレイマッピングを適用すればよい。
【００４７】
図５に示した、円状に配置された５１２個の信号点に関するマッピング方法について説明する。尚、図５の□内に、信号点を４個配置する場合には、２０４８ＱＡＭとなる。通常、５１２ＱＡＭ、あるいは２０４８ＱＡＭ方式においては、その信号点は、図３の３２ＱＡＭ、１２８ＱＡＭの説明で示したように十字形配置も可能であるが、円状配置を用いることでピークエネルギーを減少させることができるため、非線形歪に対する特性の改善が可能となる利点がある。
【００４８】
図５の円状配置において、領域内のＡで示した信号点を領域外の図５中のＡに示した部分に移動し、同様に、領域内のＢ〜Ｈで示した信号点を領域外のＢ〜Ｈに移動すると十字形配置が得られる。このように、円状配置は十字形配置中の一部の信号点を移動することによって得られる。５１２ＱＡＭ方式で伝送する９ビットのデータを２＋１＋２＋２＋２ビットに分割し、分割された各２ビット、及び１ビットを細分割された信号領域に対応つける。信号領域の細分割方法と、それに細分割された各領域に対応するビットの割り当てを指定する領域マッピングテーブルの構成方法について説明する。
【００４９】
まず上位２ビット（第１，第２ビット）に対する信号領域を図１３の７−Ａ−１に従って定める。図１３の７−Ａ−１は信号領域を４つの象限に区切り、第一象限を１１、第二象限を１０、第三象限を００、第四象限を０１とするものである。第３ビットに対応する領域の選択は図１３の７−Ａ−２を使用して行う。表３２、表３７、表７２及び表７７は図１３の表７−Ａ−１と同じであり、表４１及び表８１は図１３の表７−Ａ−２と同じである。同様に、図１４の７−Ｂ−１及び７−Ｂ−２に示した領域分割に基づいて、第４，５、及び第６，７ビットに対応する領域をそれぞれ選択し、図１５に示した領域分割に基づいて、第８，９ビットに対応する領域を選択する。表３８及び表７８は図１４の表７−Ｂ−１と同じであり、表３４、表３９、表７４及び表７９は図１４の表７−Ｂ−２と同じである。表３５、表４０、表７５及び表８０は図１５の表と同じである。以上のように選択された５つの領域の共通部分として、図５の５１２個の領域の内の一つを選択する。図１３、図１４、及び図１５によって、上記のように９ビットデータを５１２個の信号点に割当てた場合、隣接する信号点間の平均ハミング距離は小さくなり、ビット誤り率特性に優れたマッピングとなっている。尚、矩形配置の場合と異なり、一般にグレイマッピングが適用できないため、平均ハミング距離は１よりも大きくなる。図５において、分割された各領域に４つの信号点が含まれる場合には、１１ビットのデータ伝送を行う２０４８ＱＡＭ方式となるが、この場合も上位９ビットのマッピング方法は上で説明した５１２ＱＡＭの場合と全く同様であって、残りの下位２ビットにはグレイマッピングを適用すればよい。
【００５０】
次に、下位７ビットに注目し、隣接する信号点間の下位７ビット部分に関する平均ハミング距離が小さく、下位７ビットが一致する信号点間のユークリッド距離が大きいマッピング方法について説明する。図１３、図１４、図１５のマッピング方法は、例えば、下位７ビットが０００００００となる４つの信号点間のユークリッド距離は隣接する信号点間のユークリッド距離Δに一致するため最小となっており、要件を満たしていない。この場合、上位２ビット（第１，第２ビット）に対する信号点領域を図１３の７−Ａ−１によって定め、第３ビット、及び第４，５ビットに対する信号点領域を図１６の７−Ｄ−１及び７−Ｄ―２を使用してそれぞれ定める。表３６及び表７６は図１６の表７−Ｄ−１と同じであり、表３３及び表７３は図１６の表７−Ｄ−２と同じである。また第６，７ビットについては同様に図１４の７−Ｂ−２によって定め、第８，９ビットは図１５によって定める。第３、及び第４，５ビットに対する領域の選択を図１６によって行った場合にも図５に示した５１２個の領域の内の一つが選択される。以上のように９ビットデータを５１２個の信号点に割当てた場合、下位７ビットに注目すると隣接する信号点間の平均ハミング距離は、図１３、図１４、図１５による場合と比較して若干大きくなるものの、下位７ビットが一致する信号点間のユークリッド距離は８Δ以上となり、大きく改善されている。下位７ビットにのみ誤り訂正符号を適用することで、帯域拡大を抑え、尚且つ誤り率特性に優れた通信装置の提供が可能となる。
［構成及び動作の説明］ 
図３，図４，図５のように領域分割され、各□内に信号点が配置された２ｍＱＡＭ方式において、各信号点は２次元平面に配置されているため、２つの数値によって、その配置を表すことができる。信号領域の左下を原点として、水平方向をＩ軸、垂直方向をＱ軸と呼ぶことにすると、各信号点は、Ｉ軸、Ｑ軸の座標値によって表すことができる。従って、各信号点へのビットマッピング装置は伝送するｍビットを入力とし、信号点のＩ軸、Ｑ軸の各座標値を出力する装置となる。
【００５１】
図１７に３２ＱＡＭ方式に関する信号点配置とＩ軸、及びＱ軸の座標値の一例を表す。図１８（Ａ）は図３に示した十字形信号点配置を用いて、２ｎ＋１ビットのデータを伝送する２２ｎ＋１ＱＡＭ方式のマッピング装置（変調装置）の一例を示すブロック図である。
【００５２】
説明を容易にするため、以下ではｎ＝２とし、３２ＱＡＭについて説明する（図１７）。前記のように、下位ビットはグレイ符号化であるため、ｎ＞２の場合も同様に構成可能である。ｎ＞２の場合、下位ビットの２（ｎ−２）ビットはグレイ符号化装置３２によるグレイ符号化を行う（図１８（Ａ）参照）。
【００５３】
領域マッピングテーブル３１において、伝送する５ビットのデータの上位２ビット（第１，第２ビット）から領域マッピングテーブル（１，２）によって対応する領域を参照し、同様に第３ビットから領域マッピングテーブル（３）によって、対応する領域を参照し、下位２ビットから領域マッピングテーブル（４，５）によって対応する領域を参照する。以上の合成によって、各領域の共通部分に存在する唯一の信号点に対するＩ軸、Ｑ軸の座標値が定まる。
【００５４】
領域マッピングテーブル（１，２）は図６によって入力２ビットに対応する領域を判定する。図６より、入力ビットが各々そのまま、Ｉ軸の第１ビット、Ｑ軸の第１ビットとなっており、これが出力となる。領域マッピングテーブル（３）に図７の５−Ｂ−１に示したテーブルを使用する場合、入力の第３ビットが１の場合にはＩ軸の第２ビットが確定し、０の場合にはＱ軸の第２ビットがそれぞれ確定する。尚、第３ビットに対する領域マッピングに図８の５−Ｃ−１を用いる場合には入力の第３ビットが０の時、Ｉ軸、Ｑ軸共に、第２ビットが確定するが、１の場合にはＩ軸、Ｑ軸共に第２ビットは確定しない。最後に第４，５ビットに対応する領域を、領域マッピングテーブル（４，５）（図７の５−Ｂ−２）を参照することで定める。以上によって、Ｉ軸、Ｑ軸の残りのビットが確定され、伝送５ビットに対し、Ｉ軸、Ｑ軸の座標値（各３ビット）が確定し、信号点へのマッピングが行える。
【００５５】
図１８（Ｂ）は図１８（Ａ）の領域マッピング装置（変調装置）の構成を示す図である。記憶装置３４は、出力データを保持するＲＯＭ、あるいはＲＡＭ等の記憶装置であり、アドレス生成装置３３は入力ビットからそれに対応する出力データが保持されている記憶装置のアドレスを生成する。例えば、領域マッピングテーブルとして、図６（第１及び第２ビット）及び図７（第３ビット、第４及び第５ビット）を使用した場合、領域マッピングテーブルから以下のテーブル（表１）を生成することができ、これをＲＯＭ、あるいはＲＡＭ等の記憶装置に記憶しておく。
【００５６】
図３５は、図１８（Ｂ）のアドレス生成装置３３の一構成例を示すブロック図である。アドレス生成装置３３は、３２個の信号点を含む信号領域を複数個の領域に分割し、分割された各領域において、隣接する領域間が互いに異なるように２ビットを割り当てる第１の領域マッピングテーブル１１２、１１４と、３２個の信号点を含む信号領域を複数個の領域に分割し、分割された各領域に隣接する領域間が互いに異なるように１ビットを割り当てる第２の領域マッピングテーブル１１３を備え、５ビットのデータに対する信号点を、５ビットのデータを２個の２ビットデータと１個の１ビットデータに分割し、２ビットデータの各々を分割された領域の形が互いに異なる２個の第１の領域マッピングテーブル１１２，１１４を参照して得られる２個の信号領域の共通部分と、１ビットデータに対応して、第２の領域マッピングテーブル１１３によって定まる領域との共通部分に配置された信号点とする設定部１１１を備えている。領域マッピングテーブル１１２、１１３、１１４が図１８（Ａ）に示された領域マッピングテーブル（１，２）、領域マッピングテーブル（３）、領域マッピングテーブル（４，５）にそれぞれ対応している。設定部１１１は、テーブル（表１）の情報を記憶しておく、ＲＯＭ、あるいはＲＡＭ等の記憶装置を備えている。設定部１１１が、入力ビットからそれに対応する出力データが保持されている記憶装置のアドレスを生成する。
【００５７】
【表１】
2011068119.tif 000003
上記テーブル（表１）において、アドレス値は入力ビットに一致するため、アドレス生成装置は入力ビットをアドレスとして、記憶装置内に保持されたデータＩ（３ビット）とデータＱ（3ビット）を指定し、出力する。
【００５８】
次に、３２ＱＡＭの場合において、受信側で通信路出力である受信信号点から、送信した５ビットを算出する復号装置について説明する。前記の信号点マッピング方式では、伝送する５ビットに対し、対応する信号点のＩ軸、Ｑ軸座標値を、領域分割によって導いたが、受信側ではこの逆を辿り、Ｉ軸、Ｑ軸の座標値から、送信した５ビットを算出する。
【００５９】
図１９（Ａ）は、このようなデマッピングを実行する装置（復調装置）の一例を示すブロック図である。
【００６０】
図１９（Ａ）の装置は領域判定復号装置（１，２）４１、領域判定復号装置（３）４２、領域判定復号装置（４，５）４３からなる。いずれも、通信路出力の受信信号点に対応するＩ軸、Ｑ軸の座標値を入力し、受信信号点を含む領域に割当てられたビット列を出力する。領域判定復号装置（１，２）４３は、図６を用いて、受信信号点が第一象限に存在するならば１１を出力し、以下、第二象限ならば１０、第三象限ならば００、第四象限ならば１１を出力する。同様に、領域判定復号装置（３）４２は図７の５−Ｂ−１を用いて、受信信号点が存在する領域に割当てられた１ビットを出力する。尚、前記のように送信側で図８を用いてマッピングしている場合は、領域判定復号装置（３）４２は図８の５−Ｃ−１を用いて、受信信号点が存在する領域に割当てられた１ビットを出力する。領域判定復号装置（４，５）４３は図７の５−Ｂ−２を用いて（送信側で図８の５−Ｃ−２を用いた場合は、図８の５−Ｃ−２を用いて）、受信信号点が存在する領域に割当てられた１ビットを出力する。以上のように、各領域判定復号装置によって出力されたビット列は、受信信号点にユークリッド距離が最も近い送信信号点に対応するビット列となる。グレイ復号装置４４はグレイ復号を行い、２（ｎ−２）ビットを出力する。
【００６１】
図１９（Ａ）中にある領域判定復号装置(1,2), (3), (4,5)は合わせて、図１８（Ａ）中に示した領域マッピングの逆を実行するため、上述したテーブルの入出力を入れ替えて使用することで実現できる。またそれ以外にもテーブル参照と等価な組み合せ回路を使用して実現することもでき、図６〜図８のマッピングを用いた例では、組み合わせ回路を使用した方が実装規模は小さくなる。例えば、図１９（Ａ）中の領域判定復号装置(1,2)４１, 領域判定復号装置(3)４２, 領域判定復号装置(4,5)４３は図１９（Ｂ）に示す以下の論理式と等価になる。ここで、「＋」は排他的論理和（図中においては「＋」を○で囲った記号として表記している）、「・」は論理積になる。
【００６２】
図１９（Ａ）のデマッピングを実行する装置（復調装置）の構成例について、図３７を用いて説明する。この復調装置は、十字形に配置された２２ｎ＋１個の信号点を用いて、２ｎ＋１ビットのデータを伝送する２２ｎ＋１ＱＡＭの変調方式を用いた復調装置（ｎは正の整数）の一例であって、ｎ＝２の場合に相当する。十字形に配置された３２個の信号点を用いて、５ビットのデータを伝送する３２ＱＡＭの変調方式を用いた復調装置である。
図３７に示すように、伝送する５ビットのデータと３２個の信号点の対応が図１８（Ｂ）及び図３５の変調装置で定められたデータ伝送方式によって定められ、受信信号点から受信信号点に最も近い送信信号点に対応する５ビットのデータを算出する算出部１３１と、受信信号点を含む領域に対応して図１８（Ｂ）及び図３５の変調装置の２個の２ビットの領域マッピングテーブル１１２、１１４と同一の領域マッピングテーブルを参照して２個の２ビットデータを得るとともに、１ビットの領域マッピングテーブル１１３と同一の領域マッピングテーブルを参照して１ビットを得る取得部１３２とを備えている。取得部１３２は領域マッピングテーブル１１２、１１３、１１４と同一の領域マッピングテーブルを備えている。
【００６３】
後述する図２０，図２２、図２１，図２３についても図１８（Ａ），（Ｂ）、図１９（Ａ），（Ｂ）の構成と同様に構成することができる。
【００６４】
図２０は図４に示した円状信号点配置を用いて、２ｎビットのデータを伝送する２２ｎＱＡＭ方式のマッピング装置の一例を示すブロック図である（ｎは４以上の整数）。説明を容易にするため、以下ではｎ＝４とし、２５６ＱＡＭについて説明する。前記のように、下位ビットはグレイ符号化であるため、ｎ＞４の場合も同様に構成可能である。ｎ＞４の場合、下位ビットの２（ｎ−４）ビットはグレイ符号化装置５２によるグレイ符号化を行う（図２０参照）。
【００６５】
図４の円状配置を用いた２５６ＱＡＭで、Ｉ軸、Ｑ軸の座標値を各々５ビットで表現する場合、信号点へのビットマッピング装置に関する基本的な動作は図１８を用いて説明した動作と同一である。
【００６６】
領域マッピングテーブル５１において、領域マッピングについては第一のマッピングとして、伝送する８ビット中の第１，２，３，４ビットの領域マッピングを図９で行い、第５，６，７，８ビットの領域マッピングを図１０で行う場合がある。また、第二のマッピングとして、第１，２，３，４ビットの領域マッピングを図１１で行い、第５，６，７，８ビットの領域マッピングを図１０で行う場合がある。また、第三のマッピングとして、第１，２ビットの領域マッピングを図１１の６−Ｃ−１で行い、第３，４ビットの領域マッピングを図９の６−Ａ−２で行い、第５，６ビットの領域マッピングを図１２で行い、第７，８ビットの領域マッピングを図１０の６−Ｂ−２で行う場合がある。第一のマッピングの場合は隣接する信号点間の平均ハミング距離が小さく、第二のマッピングの場合は下位６ビット部分に関する平均ハミング距離が小さく、尚且つ下位６ビットが一致する信号点間のユークリッド距離が大きく、第三のマッピングの場合は下位４ビット部分に関する平均ハミング距離が小さく、尚且つ下位４ビットが一致する信号点間のユークリッド距離が大きい信号点マッピングになっている。誤り訂正符号を適用する場合、第一のマッピングの場合には全ビットに誤り訂正符号を適用し、第二のマッピングの場合には下位６ビット部分に誤り訂正符号を適用し、第三のマッピングの場合には下位４ビット部分に誤り訂正符号を適用する。
【００６７】
図２１は、受信信号点から伝送ビットを算出するデマッピングを実行する装置の一例を示すブロック図である。図２１の装置は領域判定復号装置（１，２）６１、領域判定復号装置（３，４）６２、領域判定復号装置（５，６）６３、領域判定復号装置（７，８）６４からなる。いずれも、通信路出力の受信信号点に対応するＩ軸、Ｑ軸の座標値を入力し、受信信号点を含む領域に割当てられたビット列を出力する。基本的な動作は図１８を用いて説明した動作と同一であり、各領域判定復号については、送信側で使用した領域マッピングテーブルと同一のものを使用する。グレイ復号装置６５はグレイ復号を行い、２（ｎ−４）ビットを出力する。
【００６８】
最後に、図５に示した円状信号点配置を用いて、２ｎ＋１ビットのデータを伝送する２２ｎ＋１ＱＡＭ方式について説明する。図２２は、そのマッピング装置の一例を示すブロック図である（ｎは４以上の整数）。説明を容易にするため、以下ではｎ＝４とし、５１２ＱＡＭについて説明する。前記のように、下位ビットはグレイ符号化であるため、ｎ＞４の場合も同様に構成可能である。ｎ＞４の場合、下位ビットの２（ｎ−４）ビットはグレイ符号化装置７２によるグレイ符号化を行う（図２２参照）。
【００６９】
図５の円状配置を用いた５１２ＱＡＭで、Ｉ軸、Ｑ軸の座標値を各々５ビットで表現する場合、信号点へのビットマッピング装置に関する基本的な動作は図１８、及び図１９を用いて説明した動作と同一である。
【００７０】
領域マッピングテーブル７１において、領域マッピングについては、第一のマッピングとして、伝送する９ビット中の第１，２，３ビットの領域マッピングを図１３で行い、第４，５，６，７ビットの領域マッピングを図１４で行い、第８，９ビットの領域マッピングを図１５で行う場合がある。第二のマッピングとして、第１，２ビットの領域マッピングを図１３の７−Ａ−１で行い、第３，４，５ビットの領域マッピングを図１６で行い、第６，７ビットの領域マッピングを図１４の７−Ｂ−１で行い、第８，９ビットの領域マッピングを図１５で行う場合がある。第一のマッピングの場合は隣接する信号点間の平均ハミング距離が小さく、第二のマッピングの場合は下位７ビット部分に関する平均ハミング距離が小さく、尚且つ下位７ビットが一致する信号点間のユークリッド距離が大きい信号点マッピングになっている。誤り訂正符号を適用する場合、第一のマッピングの場合には全ビットに誤り訂正符号を適用し、第二のマッピングの場合には下位７ビット部分に誤り訂正符号を適用する。
【００７１】
図２３は、受信信号点から伝送ビットを算出するデマッピングを実行する装置の一例を示すブロック図である。図２３の装置は領域判定復号装置（１，２）８１、領域判定復号装置（３）８２、領域判定復号装置（４，５）８３、領域判定復号装置（６，７）８４、及び領域判定復号装置（８，９）８５からなる。いずれも、通信路出力の受信信号点に対応するＩ軸、Ｑ軸の座標値を入力し、受信信号点を含む領域に割当てられたビット列を出力する。基本的な動作は図１８、及び図２１を用いて説明した動作と同一であり、各領域判定復号については、送信側で使用した領域マッピングテーブルと同一のものを使用する。グレイ復号装置８６はグレイ復号を行い、２（ｎ−４）ビットを出力する。
【００７２】
図３３に、矩形に配置された２２ｎ個の信号点の一部を円状に再配置し（ｎは正の整数）、円状配置された２２ｎ個の信号点を用いて、２ｎビットのデータを伝送する２２ｎＱＡＭの変調方式の変調装置の一構成例を示す。第１対応部９１で、矩形配置に一致する信号点に、下位２ｔ ビットと上位２（ｎ−ｔ）を各々独立にグレイ符号を適用した２ｎビットのパターンを対応させてマッピングを行う（ｔはｎより小さい正の整数）。そして、第２対応部９２で、円状に再配置された各信号点に、該矩形配置に一致する信号点に割当てられたパターンを除いた２ｎビットのパターンの中で、隣接する信号点間における下位２ｔビットの平均ハミング距離が最小、かつ下位２ｔビットが一致する信号点間のユークリッド距離が最大となるように２ｎビットのパターンを対応させる。既に図４を用いて説明したように、円状配置は矩形配置中の一部の信号点を移動することによって得られる。円状に配置される信号点に関するマッピング方法（ｎ＝４）については、図９−図１２を用いて説明した既に説明したマッピング方法を用いることができる。なお、第２対応部９２の処理を第１対応部９１の処理に先だって行うこともできる。第１対応部９１と第２対応部９２はそれぞれのマッピングを行うための領域マッピングテーブルを備えている。
【００７３】
図３４に、矩形に配置された２２ｎ個の信号点の一部を円状に再配置し（ｎは正の整数）、円状配置された２２ｎ個の信号点を用いて、２ｎビットのデータを伝送する２２ｎＱＡＭの変調方式の変調装置の他の構成例を示す。ここでは２５６ＱＡＭ（ｎ＝４）の変調方式の変調装置の例について説明する。この変調装置は、２５６個の信号点を含む信号領域を複数個の領域に分割し、分割された各領域の内、矩形配置に含まれる領域に対して、隣接する領域間のハミング距離が１だけ異なるグレイ符号を適用して２ビットを割当て、矩形配置に含まれない分割された各領域に対して、隣接する領域間の平均ハミング距離が最小となるように２ビットを割り当てる、４種類の領域マッピングテーブル１０２〜１０５を４種類備え、８ビットのデータに対する信号点を、８ビットのデータを４個の２ビットデータに分割し、各々を分割された領域の形が互いに異なる４種類の領域マッピングテーブル１０２〜１０５を参照して得られる４個の信号領域の共通部分に配置された信号点とする設定部１０１を備えている。領域マッピングテーブル１０２〜１０５が図２０に示された領域マッピングテーブル（１，２）、領域マッピングテーブル（３，４）、領域マッピングテーブル（５，６）、領域マッピングテーブル（７，８）にそれぞれ対応している。既に図４を用いて説明したように、円状配置は矩形配置中の一部の信号点を移動することによって得られる。円状に配置される信号点に関するマッピング方法（ｎ＝４）については、図９−図１２を用いて説明した既に説明したマッピング方法を用いることができる。
【００７４】
図３６に、十字形に配置された２２ｎ＋１個の信号点の一部を円状に再配置した２２ｎ＋１個の信号点を用いて、２ｎ＋１ビットのデータを伝送する２２ｎ＋１ＱＡＭの変調方式を用いた変調装置の一構成例を示す。ここでは５１２ＱＡＭ（ｎ＝４）の変調方式の変調装置の例について説明する。この変調装置は、図２２の変調装置に対応しており、５１２個の信号点を含む信号領域を複数個の領域に分割し、分割された各領域において、隣接する領域間が互いに異なるように２ビットを割り当てる第１の領域マッピングテーブル１２２，１２４，１２５，１２６と、５１２個の信号点を含む信号領域を複数個の領域に分割し、分割された各領域に隣接する領域間が互いに異なるように１ビットを割り当てる第２の領域マッピングテーブル１２３とを備え、９ビットのデータに対する信号点を、９ビットのデータを４個の２ビットデータと１個の１ビットデータに分割し、２ビットデータの各々を分割された領域の形が互いに異なる４個の第１の領域マッピングテーブル１２２，１２４，１２５，１２６を参照して得られる４個の信号領域の共通部分と、該１ビットデータに対応して、第２の領域マッピングテーブル１２３によって定まる領域との共通部分に配置された信号点とする設定部とを備えている。領域マッピングテーブル１２２〜１２６が図２２に示された領域マッピングテーブル（１，２）、領域マッピングテーブル（３）、領域マッピングテーブル（４，５）、領域マッピングテーブル（６，７）、領域マッピングテーブル（８，９）にそれぞれ対応している。既に図５を用いて説明したように、円状配置は十字形配置中の一部の信号点を移動することによって得られる。円状に配置される信号点に関するマッピング方法（ｎ＝４）については、図１３−図１６を用いて説明した既に説明したマッピング方法を用いることができる。
【００７５】
円状に配置された２２ｎ個の信号点を用いて、２ｎビットのデータを伝送する２２ｎＱＡＭの変調方式を用いた復調装置についても、図３７の構成と同様な構成で構成できる（ｎは正の整数）。ここでは２５６ＱＡＭ（ｎ＝４）の変調方式の復調装置の例について説明する。
図３７に示すように、この復調装置は、伝送する８ビットのデータと２５６個の信号点との対応が図３４を用いて説明した変調装置のマッピング方法によって定められ、受信信号点から該受信信号点に最も近い送信信号点に対応する８ビットのデータを算出する算出部と、受信信号点を含む領域に対応して図３４を用いて説明した変調装置の４個の領域マッピングテーブル１０２〜１０５と同一の４個の領域マッピングテーブルを参照して４個の２ビットデータを得る取得部１３２とを備えている。４個の領域マッピングテーブルは取得部１３２に含まれている。
【００７６】
十字形に配置された２２ｎ＋１個の信号点の一部を円状に再配置した２２ｎ＋１個の信号点を用いて、２ｎ＋１ビットのデータを伝送する２２ｎ＋１ＱＡＭの変調方式を用いた復調装置についても、図３７の構成と同様な構成で構成できる（ｎは正の整数）。したがって、図３７を用いて復調装置の構成について説明する。ここでは５１２ＱＡＭ（ｎ＝４）の変調方式の変調装置の例について説明する。
伝送する該９ビットのデータと５１２個の信号点との対応が図３６を用いて説明した変調装置のデータ伝送方式によって定められ、受信信号点から受信信号点に最も近い送信信号点に対応する９ビットのデータを算出する算出部１３１と、受信信号点を含む領域に対応して図３６を用いて説明した変調装置の４個の２ビットの領域マッピングテーブル１２２、１２４、１２５、１２６と同一の領域マッピングテーブルを参照して４個の２ビットデータを得るとともに、１ビットの領域マッピングテーブル１２３と同一の領域マッピングテーブルを参照して１ビットを得る取得部１３２とを備える。５個の領域マッピングテーブルは取得部１３２に含まれている。
[第２の実施形態] 
図４において、信号点空間を２５６分割した例を示し、更に、分割された各領域内に４つの信号点を配置した１０２４個の信号点の円状配置例を説明した。この１０２４個の信号点の幾つかの配置を変更することでさらに平均信号電力の低い信号点配置を得ることが可能であるが、そのような配置においても、第１の実施形態において説明した方法と同様の方法でマッピングが可能であることを示す。
【００７７】
図２４は、信号領域を１０２４分割した一例を示している。図２４の円状配置において、領域内のＡで示した信号点を領域外の図２４中のＡで示した部分に移動し、同様に、領域内のＢ〜Ｑで示した信号点を領域外の図２４のＢ〜Ｑで示した部分に移動すると、図４に示した２５６分割の例において、□内に４点配置した１０２４ＱＡＭの信号点配置に一致する。図２４の信号点配置は図４の分割から得られる１０２４個の信号点配置の内の１６個を平均信号電力が小さくなるよう移動したものと見ることができる。このように、平均電力を最小化するため一部の信号点を再配置した信号点配置についても以下に具体例を示すように同様なマッピングが可能である。
【００７８】
図２４の１０２４ＱＡＭでデータ伝送する場合、第１の実施形態において説明した方法と同様に、伝送する１０ビットのデータ（１０２４＝２１０）を２＋２＋２＋２＋２ビットに分割し、分割された各２ビットを細分割された信号領域に対応つける。まず上位２ビット（第１，第２ビット）に対する信号領域を図２５〜図３２に従って定める。図２５の１６−Ａ−１は信号領域を４つの象限に区切り、第一象限を１１、第二象限を１０、第三象限を００、第四象限を０１とするものである。表１４及び表５４は図２５の表１６−Ａ−１と同じである。また図２６の１６−Ａ−２を使用して第３，４ビットに対応する領域を選択する。表１５、表２５、表５５及び表６５は図２６の表１６−Ａ−２と同じである。同様に図２７、図２８に示した領域分割に基づいて、第５，６、及び第７，８ビットに対応する領域を選択し、図２９に示した領域分割に基づいて、第９，１０ビットに対応する領域を選択する。表１６、表２１、表５６及び表６１は図２７の表１６−Ｂ−１と同じである。表１７、表２２、表２７、表５７、表６２及び表６７は図２８の表１６−Ｂ−２と同じである。表１８、表２３、表２８、表５８、表６３及び表６８は図２９の表と同じである。このように選択された５つの領域の共通部分として、図２４の１０２４個の領域の内の一つを選択する。図２５，２６、図２７，２８、及び図２９によって、上記のように１０ビットデータを１０２４個の信号点に割当てた場合、隣接する信号点間の平均ハミング距離は小さくなり、ビット誤り率特性に優れたマッピングとなっている。尚、矩形配置の場合と異なり、一般にグレイマッピングが適用できないため、平均ハミング距離は１よりも大きくなる。
【００７９】
次に、下位８ビットに注目し、隣接する信号点間の下位８ビット部分に関する平均ハミング距離が小さく、下位８ビットが一致する信号点間のユークリッド距離が大きいマッピング方法について説明する。前記の図２５，２６、図２７，２８、図２９によるマッピング方法は、例えば、下位８ビットが００００００００となる４つの信号点間のユークリッド距離は隣接する信号点間のユークリッド距離Δに一致するため最小となっており、要件を満たしていない。この場合、上位２ビット（第１，第２ビット）に対する信号点領域を図３０の１６−Ｄ−１によって定める。表１９、表２４、表５９及び表６４は図３０の表１６−Ｄ−１と同じである。そして第３，４ビットを図３１の１６−Ｄ−２を使用して定める。また第５，６，７，８，９，１０ビットについては同様に図２７、図２８、図２９によって定める。図２５，図２６を用いる代わりに、図３０，図３１によって第１，２、及び第３，４ビットに対する領域を選択した場合にも図２４に示した１０２４個の領域の内の一つが選択される。表２０及び表６０は図３１の表１６−Ｄ−２と同じである。図３０，図３１、及び図２７，図２８、図２９によって、１０ビットデータを１０２４個の信号点に割当てた場合、下位８ビットに注目すると隣接する信号点間の平均ハミング距離は、前述の場合と比較して若干大きくなるものの、下位８ビットが一致する信号点間のユークリッド距離は（√１７８）Δ以上となり、大きく改善されている。下位８ビットにのみ誤り訂正符号を適用することで、帯域拡大を抑え、尚且つ誤り率特性に優れた通信装置の提供が可能となる。
【００８０】
次に、下位６ビットに注目し、隣接する信号点間の下位６ビット部分に関する平均ハミング距離が小さく、下位６ビットが一致する信号点間のユークリッド距離が大きいマッピング方法について説明する。この場合は、伝送する１０ビットに対し、第１，２ビットを図３０の１６−Ｄ−１を使用して、領域選択し、第３，４ビットは図２６の１６−Ａ−２、第５，６ビットに次の図３２を使用し、第７，８，９，１０ビットには図２８の１６−Ｂ−２、図２９を使用することで各領域を選択し、選択された全ての領域の共通部分として、図２４に示した１０２４個の領域の内の一つを選択する。下位６ビットが一致する信号点間のユークリッド距離は（√２６）Δ以上となる。表２６及び表６６は図３２の表と同じである。
【００８１】
以上で説明した本実施形態のデータ伝送方法、及びデータ受信方法において使用する領域マッピングテーブル図６、図７の５−Ｂ−２、図８の５−Ｃ−２、図９、図１０、図１１、図１２、図１３の７−Ａ−１、図１４、図１５、図１６の７−Ｄ−２、図２５，図２６、図２７，図２８、図２９、図３０，図３１における四つの２ビットパターン００、０１、１０、１１を隣接する領域間でハミング距離が不変な変換によって変換して得られたテーブルを領域マッピングテーブルとして使用し、また図７の５−Ｂ−１、図８の５−Ｃ−１、図１３の７−Ａ−２、図１６の７−Ｄ−１の領域マッピングテーブルにおける二つの１ビットパターン０、１を置換して得られたテーブルを領域マッピングテーブルとして使用することによっても、明らかに同様の効果を有するデータ伝送、及びデータ受信が可能である。
【実施例】
【００８２】
具体的な数値例を用いて本発明の効果を説明する。８ビットのデータを２５６個の信号点に割当ててデータの伝送を行う２５６ＱＡＭデータ伝送方式において、図４に示した円状に配置された２５６個の信号点を用い、第１，２ビットを図１１の６−Ｃ−１、第３，４ビットを図９の６−Ａ−２、第５，６ビットを図１２、第７，８ビットを図１０の６−Ｂ−２に示したマッピング方法によって、マッピングを行い、下位４ビット（第５，６，７，８ビット）部分を誤り訂正符号化した場合、矩形信号点配置とダブルグレイマッピングを使用し、同じ誤り訂正符号を適用した従来方法と比較して、同様の符号化利得を得ることができ、尚且つピーク電力を約３０％、平均電力を約４．３％削減することが可能となる。【００８３】
また、１０２４ＱＡＭ方式において、図２４に示した円状に配置された２５６個の信号点を用い、第１，２ビットを図３０の１６−Ｄ−１、第３，４ビットを図３１の１６−Ｄ−２、第５，６ビットを図２７の１６−Ｂ−１、第７，８ビットを図２８の１６−Ｂ−２、第９，１０ビットを図２９に示したマッピング方法によって、マッピングを行い、下位８ビット（第３，４，５，６，７，８，９，１０ビット）部分を誤り訂正符号化した場合、矩形信号点配置とダブルグレイマッピングを使用し、同じ誤り訂正符号を適用した従来方法と比較して、同様の符号化利得を得ることができ、尚且つピーク電力を約３２％、平均電力を４．４％削減することが可能となる。【００８４】
本実施形態によれば、ビット誤り率特性に優れ、非線形歪に対する特性に優れた多値データ通信方式を提供することが可能となる。【００８５】
その理由は、本実施形態によって、十字形あるいは、円状に配置された信号点を用いてｍビットのデータを伝送する２ｍＱＡＭデータ通信において、ｍビット中の予め指定した下位ｓビットが一致する信号点間のユークリッド距離が大きく、かつ隣接する信号点間の下位ｓビット部分の平均ハミング距離が小さい信号点マッピング装置を構成でき、下位ｓビットにＲＳ符号やＬＤＰＣ符号等の誤り訂正符号を適用することが可能であることによる。【００８６】
また、矩形に配置された信号点を用いる場合と比較して、ピークエネルギーを減少させることができるため、非線形歪に対する特性の改善が可能となることによる。【００８７】
以上、本発明の代表的な実施形態について説明したが、本発明は、本願の請求の範囲によって規定される、その精神または主要な特徴から逸脱することなく、他の種々の形で実施することができる。そのため、前述した各実施形態は単なる例示にすぎず、限定的に解釈されるべきではない。本発明の範囲は特許請求の範囲によって示すものであって、明細書や要約書の記載には拘束されない。さらに、特許請求の範囲の均等範囲に属する変形や変更はすべて本発明の範囲内のものである。【００８８】
本願は、２００９年１２月１日に出願された特願２００９−２７３４６１号を基礎とする優先権を主張するものである。そして、特願２００９−２７３４６１号に開示された全ての内容は本願の内容に含まれる。
【産業上の利用可能性】
【００８９】
本発明は、デジタルマイクロ波通信等、通信システムにおいて、ビット誤り率特性、及び非線形歪特性等のシステム構成上の要件を満たすための変調方式、復調方式として適用することができる。
【符号の説明】
【００９０】
２−１、２−２  信号点の配置
５−Ｂ−１、５−Ｂ−２  領域分割
５−Ｃ−１、５−Ｃ−２  領域分割
６−Ａ−１、６−Ａ−２  領域分割
６−Ｂ−１、６−Ｂ−２  領域分割
６−Ｃ−１、６−Ｃ−２  領域分割
７−Ａ−１、７−Ａ−２  領域分割
７−Ｂ−１、７−Ｂ−２  領域分割
７−Ｄ−１、７−Ｄ−２  領域分割
１６−Ａ−１、１６−Ａ−２  領域分割
１６−Ｂ−１、１６−Ｂ−２  領域分割
１６−Ｄ−１、１６−Ｄ−２  領域分割
【図１】
2011068119.tif 000084
【図２】
2011068119.tif 000085
【図３】
2011068119.tif 000086
【図４】
2011068119.tif 000087
【図５】
2011068119.tif 000088
【図６】
2011068119.tif 000089
【図７】
2011068119.tif 000090
【図８】
2011068119.tif 000091
【図９】
2011068119.tif 000092
【図１０】
2011068119.tif 000093
【図１１】
2011068119.tif 000094
【図１２】
2011068119.tif 000095
【図１３】
2011068119.tif 000096
【図１４】
2011068119.tif 000097
【図１５】
2011068119.tif 000098
【図１６】
2011068119.tif 000099
【図１７】
2011068119.tif 000100
【図１８】
2011068119.tif 000101
【図１９】
2011068119.tif 000102
【図２０】
2011068119.tif 000103
【図２１】
2011068119.tif 000104
【図２２】
2011068119.tif 000105
【図２３】
2011068119.tif 000106
【図２４】
2011068119.tif 000107
【図２５】
2011068119.tif 000108
【図２６】
2011068119.tif 000109
【図２７】
2011068119.tif 000110
【図２８】
2011068119.tif 000111
【図２９】
2011068119.tif 000112
【図３０】
2011068119.tif 000113
【図３１】
2011068119.tif 000114
【図３２】
2011068119.tif 000115
【図３３】
2011068119.tif 000116
【図３４】
2011068119.tif 000117
【図３５】
2011068119.tif 000118
【図３６】
2011068119.tif 000119
【図３７】
2011068119.tif 000120
【国際調査報告】
2011068119.tif 000121
2011068119.tif 000122
2011068119.tif 000123
2011068119.tif 000124